(57)【要約】【解決手段】ロータリー耕耘機構１を備え、その耕耘爪１ｃを回転させて耕耘する装置に取り付けるものであって、コンクリート畦際の残耕土を堀り起こして耕耘爪１ｃの耕耘範囲Ａ内に案内する排土板３を有している。この排土板３にはコンクリート畦と直面する板面に沿わせて摩滅防止板３ｄを着脱自在に取り付ける。摩滅防止板３ｄの前端縁は、コンクリート畦と直面する排土板３の板３ａの前端縁から進行方向前方に突出させてある。【効果】残耕処理時において、排土板３をできるだけ磨耗しないようにすることができる。従って、排土板３を交換する回数を減らすことができる。前記摩滅防止板３ｄのみを交換することができるので、排土板３の長期間の使用が可能となる。排土板３の板３ａが激しく磨耗するのを阻止できる。摩滅防止板３ｄの前端縁が磨耗すると、それを裏返して前後逆になるように再度排土板３の板３ａに取り付けることができる。【選択図】  図２
2005006588.tif 000002
【特許請求の範囲】
【請求項１】
ロータリー耕耘機構１を備え、その耕耘爪１ｃを回転させて耕耘する装置に取り付けるものであって、コンクリート畦際の残耕土を堀り起こして耕耘爪１ｃの耕耘範囲Ａ内に案内する排土板３を有し、この排土板３にはコンクリート畦と直面する板面に沿わせて摩滅防止板３ｄを着脱自在に取り付けたことを特徴とするコンクリート畦際残耕処理装置。
【請求項２】
摩滅防止板３ｄの前端縁は、コンクリート畦と直面する排土板３の板の前端縁から進行方向前方に突出させてあることを特徴とする請求項１記載のコンクリート畦際残耕処理装置。
【請求項３】
摩滅防止板３ｄに形成されている複数のボルト挿通用の孔の位置を、板の前端縁からの距離と板の後端縁からの距離とが等しくなるように設定したことを特徴とする請求項１又は２記載のコンクリート畦際残耕処理装置。
【請求項４】
排土板３は、前記ロータリー耕耘機構１のロータリー軸芯１ｂに対して前記耕耘爪１ｃの食い込み側Ｂないしそれより前方に、前記排土板３により堀り起こされた排土が案内されるごとく配置されていることを特徴とする請求項１又は２記載のコンクリート畦際残耕処理装置。
【発明の詳細な説明】
【０００１】
【発明の属する技術分野】
本発明は、ロータリー式の耕耘装置に取り付けられ、コンクリート畦際にある残耕を処理する装置の改良に関し、さらに詳しくは、その排土板の摩滅を防止し得るように工夫したものに関する。
【０００２】
【従来の技術】
近年、水田や畑などでは、図５に示すように、コンクリートの打込やコンクリート製のブロックを用いてコンクリート畦Ｄを築く場合が多い。
このような畦Ｄをトラクターや耕耘機などで耕耘すると同時に、畦際に残っている残耕Ｅの処理を自動的に行い得るようにするため、コンクリート畦際の残耕土を堀り起こしてその排土を耕耘爪の耕耘範囲内の跳ね上げ側（耕耘爪の回転中心であるロータリー軸芯  に対して耕耘爪  が耕耘後の土面から現れる側）ではなく、食い込み側ないしそれより前方に案内するための排土板を備えたものが開発されている（例えば、特許文献１参照）。
【０００３】
【特許文献１】
特開２００２−２６２６０４号公報（第２頁、図２、図３）
【０００４】
【発明が解決しようとする課題】
このような装置を用いて機械による耕耘と同時にコンクリート畦際の残耕土を堀り起こす場合においては、前記残耕土に食い込む排土板が、特に、その前端側が磨耗しやすく、度々排土板を交換しなければならない。しかしながら、その一部分が磨耗しただけで全体を交換するのは極めて不経済である。
そこで、前記排土板をできるだけ磨耗しないようにすることができれば、交換の回数を減らすことができ、極めて有利である。また、磨耗しやすい部分のみを交換することができれば、長期間の使用が可能となるのでこれまた有利である。
【０００５】
【課題を解決するための手段】
本発明は、このような要望に応えるべく案出されたものである。すなわち、本発明は、ロータリー耕耘機構１を備え、その耕耘爪１ｃを回転させて耕耘する装置に取り付けるものであって、コンクリート畦際の残耕土を堀り起こして耕耘爪１ｃの耕耘範囲Ａ内に案内する排土板３を有し、この排土板３にはコンクリート畦と直面する板面に沿わせて摩滅防止板３ｄを着脱自在に取り付けたことを特徴とするものである。
この摩滅防止板３ｄを排土板３に着脱自在に取り付けた場合には、残耕処理時において、コンクリート畦際の残耕土に食い込んで磨耗しやすい排土板３が、特に、コンクリート畦と直面する板面が摩滅防止板３ｄにより保護されるので、排土板３をできるだけ磨耗しないようにすることができ、それを交換する回数を減らすことができ、極めて有利である。また、この摩滅防止板３ｄのみを交換することができるので、排土板３の長期間の使用が可能となり、これまた有利である。
【０００６】
摩滅防止板３ｄを排土板３に着脱自在に取り付ける場合において、摩滅防止板３ｄの前端縁は、図３に示すように、コンクリート畦と直面する排土板３の板３ａの前端縁から進行方向前方に突出させておくのが望ましい。
このようにしておくと、残耕処理時において、コンクリート畦際の残耕土に食い込んで特に磨耗しやすい排土板３の板３ａの前端縁が、それより前方に突出している摩滅防止板３ｄで保護され、その部分は磨耗しても排土板３の板３ａが激しく磨耗するのを阻止できる。
排土板３の板３ａより前方に突出している摩滅防止板３ｄの前端縁が磨耗すると、それを反転して前後逆になるように再度排土板３の板３ａに取り付ければ、磨耗していない部分が排土板３の板３ａより突出することになり、その部分で排土板３の板３ａの前端縁を先程と同じように保護できる。従って、排土板３のさらなる使用が可能となり、これまた有利である。
【０００７】
摩滅防止板３ｄに形成されている複数のボルト挿通用の孔の位置を、板の前端縁からの距離と板の後端縁からの距離とが等しくなるように設定しておくことが望ましい。
このようにした場合には、摩滅防止板３ｄの前端縁が磨耗したとき、摩滅防止板３ｄを反転して前後逆になるように再度排土板３の板３ａに取り付けることができるので、摩滅防止板３ｄのさらなる使用が可能となる。
【０００８】
排土板３は、前記ロータリー耕耘機構１のロータリー軸芯１ｂに対して前記耕耘爪１ｃの食い込み側Ｂないしそれより前方に、前記排土板３により堀り起こされた排土が案内されるごとく配置されているのが望ましい。
このようにした場合には、図４に示すように、ロータリー軸芯１ｂに対して耕耘爪１ｃの食い込み側Ｂないしそれより前方に、排土板３により堀り起こされた排土Ｆが案内される。この食い込み側Ｂとは、図２における矢印方向が耕耘装置の進行方向とした場合において、耕耘爪１ｃの回転中心であるロータリー軸芯１ｂに対して耕耘爪１ｃが耕耘中の土面に食い込んで行く側のことであり、それより前方に案内されるようにしても良い。
このようにすると、排土板３により堀り起こされた排土Ｆが土面に食い込んで行く耕耘爪１ｃによって耕耘されることになり、十分な耕耘処理が行われる。
【０００９】
【発明の実施の形態】
本発明の好ましい実施の形態を、図１〜図３に基いて詳細に説明する。
図１に、本発明のロータリー畦際残耕処理装置をトラクター２に搭載した場合の一例を示す。この耕耘装置において、ロータリー耕耘機構１には、図４に示すように、ロータリー軸１ａを中心として回転するロータリー式の耕耘爪１ｃが備えられている。耕耘爪１ｃは、図１および図２に示すように、側面から見ると平仮名の「し」に似た形状をしており、それらがロータリー軸１ａから放射状に突出するように取り付けられている。
【００１０】
図１の矢印方向がトラクター１の進行方向であり、各耕耘爪１ｃ，１ｃは図１及び図２の時計針方向（図２の白矢印方向）に回転し、従来の場合と同様に耕耘することができる。
このロータリー耕耘機構１の側方には、コンクリート畦際の残耕土を堀り起こして耕耘爪１ｃの耕耘範囲Ａ内（図１、図２において、一点鎖線で示す円内）に案内する排土板３が配置されている。この排土板３は図３及び図４からも分かるように、コンクリート畦Ｄの側面に沿うように垂直方向に配置せしめられている側板３ａと、この側板３ａの内側に位置し、側板３ａに対して鋭角方向に配置されている跳ね上げ板３ｂとからなっており、それらが一本の腕３ｃの下端に取り付けられている。
【００１１】
そして、コンクリート畦と直面する側板３ａの板面に沿わせて摩滅防止板３ｄが着脱自在に取り付けられている。摩滅防止板３ｄを側板３ａに着脱自在に取り付けるには、例えば、皿ボルトその他のボルト３ｅとナット３ｆとを用いるとよい。この摩滅防止板３ｄの前端縁は、図３（ａ）に示すように、側板３ａの前端縁から進行方向前方に突出させてある。
このようにしておくと、残耕処理時において、コンクリート畦際の残耕土に食い込んで特に磨耗しやすい排土板３の側板３ａの前端縁が、それより前方に突出している摩滅防止板３ｄで保護され、その部分は磨耗しても排土板３の側板３ａが激しく磨耗するのを阻止できる。
【００１２】
排土板３の側板３ａよりも前方に突出している摩滅防止板３ｄの前端縁が磨耗すると、前記ボルト３ｅとナット３ｆとを外し、摩滅防止板３ｄを反転して前後逆になるように再度排土板３の板３ａに取り付ければ、磨耗していない部分が排土板３の板３ａより突出することになり、その部分で排土板３の板３ａの前端縁を先程と同じように保護でき、排土板３のさらなる使用が可能となる。
【００１３】
摩滅防止板３ｄは、図３（ａ）に示すように、方形状の板であり（図では、平行四辺形としてある）、その板には複数（図では、２つ）のボルト挿通用の孔が形成されているが、その孔の位置を板の前端縁（図３の右端縁）からの距離と板の後端縁（図３の左端縁）からの距離とが等しくなるようにしてある。
摩滅防止板３ｄに形成されている複数のボルト挿通用の孔の位置をこのように設定することにより、摩滅防止板３ｄの前端縁が磨耗したとき、摩滅防止板３ｄを反転して前後逆になるように再度排土板３の板３ａに取り付けることができる。このようにした場合には、摩滅防止板３ｄのさらなる使用が可能となる。
【００１４】
跳ね上げ板３ｂは、図３からも分かるように、上側と下側とで大きさと厚みとが異なっており、しかも、上側の部分は下側の部分より側板３ａ側にくるように位置させてある。
なお、側板３ａ、跳ね上げ板３ｂ、摩滅防止板３ｄの必要個所を焼入れ・焼戻して表面が所定の硬さを有するようにしておくと、それらがさらに摩滅しにくくなる。
【００１５】
そして、摩滅防止板３ｄが取り付けられている排土板３の配置位置は、従来の場合とは異なっており、ロータリー耕耘機構１のロータリー軸芯１ｂに対して耕耘爪１ｃの食い込み側Ｂに、排土板３の跳ね上げ板３ｂにより堀り起こされた排土Ｆが案内されるごとく配置されている。
この食い込み側Ｂとは、図４における矢印方向がトラクター１の進行方向とした場合において、耕耘爪１ｃの回転中心であるロータリー軸芯１ｂに対して耕耘爪１ｃが耕耘中の土面に食い込んで行く側のことである。図２を用いて説明すると、図２の矢印方向がトラクター１の進行方向とした場合において、ロータリー軸芯１ｂを通る直線を境にして、それより右側の一点鎖線で示す半円内が食い込み側Ｂ、左側の一点鎖線で示す半円内が跳ね上げ側Ｃである。
【００１６】
このような位置に排土板３を配置した場合には、図４に示すように、排土板３の跳ね上げ板３ｂにより堀り起こされた排土Ｆが、耕耘爪１ｃの食い込み側Ｂに案内される。図２を用いて説明すると、排土板３の跳ね上げ板３ｂにより堀り起こされた排土Ｆは、ロータリー軸芯１ｂを通る直線を境にしてそれより右側の一点鎖線で示す半円内に案内される。
したがって、排土板３により堀り起こされた排土Ｆが土面に食い込んで行く耕耘爪１ｃによって次々と耕耘されることになり、十分な耕耘処理が行われる。
【００１７】
ここには、ロータリー耕耘機構１のロータリー軸芯１ｂに対して耕耘爪１ｃの食い込み側Ｂに、排土板３の跳ね上げ板３ｂにより堀り起こされた排土Ｆが案内されるごとく排土板３を配置した場合が例示されているが、それより前方に堀り起こされた排土Ｆが案内されるようにしても良い。
この場合には、堀り起こされた排土Ｆが図４に示す場合より前方に案内され、耕耘爪１ｃによる通常の耕耘作業時に次々と耕耘されることになり、上述した場合と同様に、十分な耕耘処理が行われる。
【００１８】
なお、図示はしないが、腕３ｃに対して排土板３の取付位置を調整できるようにしておけば、排土板３を耕耘爪１ｃの作業位置に合わせて高さ調節することができる。また、図５に示すように、排土板３、その中でも側板３ａをコンクリート畦Ｄの形状が異なるのに応じて傾きを調節することができるので、きわめて便利である。
【００１９】
ここに示す場合には、排土板３を反転させることができるようにしてある。例えば、排土板３の腕３ｃを枢着しておけば、不必要な時には、反転させることができる。すなわち、畦際作業時以外の通常の耕耘作業時など不必要な時には、図２において一点鎖線で示すように、排土板３を反転させた状態とすることができ、排土板３が邪魔にならない。
【００２０】
ここに示す耕耘装置においては、ロータリー耕耘機構１のすぐ後にゴム製の泥よけ板４が、また、そのすぐ後に尾輪５が配置されている。そして、前記ロータリー耕耘機構１を含めて泥よけ板４、尾輪５等をリンク機構などで連結しておいて、それらを同時に持ち上げることができるようにしておくと良い。このようにしておけば、ロータリー耕耘機構１を含む泥よけ板４、尾輪５等トラクター２に搭載されている各種器具を、作業終了時など不必要な時に、持ち上げて退避させておくことができる。
【００２１】
【発明の効果】
請求項１記載の発明によれば、残耕処理時において、コンクリート畦際の残耕土に食い込んで磨耗しやすい排土板３が、特に、コンクリート畦と直面する板面が摩滅防止板３ｄにより保護されるので、排土板３をできるだけ磨耗しないようにすることができ、それを交換する回数を減らすことができるという利点を有する。また、この摩滅防止板３ｄのみを交換することができるので、排土板３の長期間の使用が可能となり、これまた有利である。
【００２２】
請求項２記載の発明によれば、残耕処理時において、コンクリート畦際の残耕土に食い込んで特に磨耗しやすい排土板３の板３ａの前端縁が、それより前方に突出している摩滅防止板３ｄで保護されるので、その部分は磨耗しても排土板３の板３ａが激しく磨耗するのを阻止できるという効果がある。また、排土板３の板３ａより前方に突出している摩滅防止板３ｄの前端縁が磨耗すると、それを反転して前後逆になるように再度排土板３の板３ａに取り付けることができるので、排土板３のさらなる使用が可能となり、これまた有利である。
【００２３】
請求項３記載の発明によれば、摩滅防止板３ｄの前端縁が磨耗したとき、摩滅防止板３ｄを反転して前後逆になるように再度排土板３の板３ａに取り付けることができるので、摩滅防止板３ｄのさらなる使用が可能となるという利点を有する。
【００２４】
請求項４記載のコンクリート畦際残耕処理装置を用いた場合には、排土板３により堀り起こされた排土Ｆが土面に食い込んで行く耕耘爪１ｃによって耕耘されることになり、十分な耕耘処理が行われるという利点を有する。
【図面の簡単な説明】
【図１】本発明のロータリー畦際残耕処理装置をトラクターに搭載した場合の一例を示す側面図である。
【図２】本発明のロータリー畦際残耕処理装置を、泥よけ板、尾輪とともに拡大して示す概略図である。
【図３】排土板部分のみの拡大図で、（ａ）は側面図、（ｂ）はその底面図である。
【図４】本発明のロータリー畦際残耕処理装置の作業状況の一例と、その原理を示す概略平面図である。
【図５】コンクリート畦とそのそばにある残耕とを示す斜視図で、（ａ）  は台形コンクリート打込畦を、（ｂ）  は直立コンクリート打込畦を示す。
【符号の説明】
１…ロータリー耕耘機構、１ａ…ロータリー軸、１ｂ…ロータリー軸芯、１ｃ…耕耘爪、３…排土板、３ａ…側板、３ｂ…跳ね上げ板、３ｃ…腕、３ｄ…摩滅防止板、Ａ…耕耘範囲、Ｂ…食い込み側、Ｃ…跳ね上げ側、Ｄ…コンクリート畦、Ｅ…残耕、Ｆ…排土。
【図１】
2005006588.tif 000003
【図２】
2005006588.tif 000004
【図３】
2005006588.tif 000005
【図４】
2005006588.tif 000006
【図５】
2005006588.tif 000007